(57)【要約】【課題】嵩張らず、しかも、管理や現場での施工を容易にすることができる床断熱材保持金物を提供する。【解決手段】左右の大引１，１間に配置される床断熱材２を保持する断熱材保持金物５であって、左右の大引掛け部６，６と、床断熱材支持部７と、左右の立ち上がり連接部８，８とを備えて、「ひ」の字形形状をして床断熱材２を保持するようになされたものであり、左右の大引掛け部６，６と、床断熱材支持部７と、左右の立ち上がり連接部８，８とが一体に備えられ、長さ方向において非屈折状態に延ばされ、前記「ひ」の字形形状に屈折させることができるようになされている。屈折のため、強度劣弱部１１，１２…を備えさせておくとよい。【選択図】      図１
2007285069.tif 000002
【特許請求の範囲】
【請求項１】
左右の大引間に配置される床断熱材を保持する断熱材保持金物であって、
左右の大引の上面側に掛けられる左右の大引掛け部と、床断熱材を下面側から支持する床断熱材支持部と、該床断熱材支持部を左右の大引断熱材おさえ部に連接する左右の立ち上がり連接部とを備え、「ひ」の字形形状をして床断熱材を保持するようになされており、かつ、
左右の大引掛け部と、床断熱材支持部と、左右の立ち上がり連接部とが一体に備えられ、長さ方向において非屈折状態に延ばされ、前記「ひ」の字形形状に屈折させることができるようになされていることを特徴とする断熱材保持金物。
【請求項２】
大引掛け部と立ち上がり連接部とを屈折させる第１強度劣弱部と、立ち上がり連接部と床断熱材支持部とを屈折させる第２強度劣弱部とが備えられている請求項１に記載の断熱材保持金物。
【請求項３】
前記各強度劣弱部に隣り合って寸法調整用の強度劣弱部が備えられている請求項２に記載の断熱材保持金物。
【発明の詳細な説明】
【技術分野】
【０００１】
本発明は、断熱材保持金物に関する。
【背景技術】
【０００２】
左右の大引間に床断熱材が配置されると共に、大引の上に床板が根太レスで設置された床断熱構造において、左右の大引間に床断熱材を保持するため、左右の大引の上面側に掛けられる左右の大引掛け部と、床断熱材を下面側から支持する床断熱材支持部と、該床断熱材支持部を左右の大引断熱材おさえ部に連接する左右の立ち上がり連接部とを備え、「ひ」の字形形状をして上記の床断熱材を保持する床断熱材保持金物は、従来より知られている。
【特許文献１】特開２００３−３２１９２９号公報
【発明の開示】
【発明が解決しようとする課題】
【０００３】
しかしながら、上記のような床断熱材保持金物では、該金物が、左右の大引掛け部と、床断熱材支持部と、左右の立ち上がり連接部とを含む一体物であると、運搬や保管、取扱いにおいて嵩張ってしまうという問題を生じる。
【０００４】
また、該金物が複数の部品に分割されている場合は、各部品の管理や、現場での組立てに手間を要するという問題を生じる。
【０００５】
本発明は、上記のような問題点に鑑み、嵩張らず、しかも、管理や現場での施工を容易にすることができる床断熱材保持金物を提供することを課題とする。
【課題を解決するための手段】
【０００６】
上記の課題は、左右の大引間に配置される床断熱材を保持する断熱材保持金物であって、
左右の大引の上面側に掛けられる左右の大引掛け部と、床断熱材を下面側から支持する床断熱材支持部と、該床断熱材支持部を左右の大引断熱材おさえ部に連接する左右の立ち上がり連接部とを備え、「ひ」の字形形状をして床断熱材を保持するようになされており、かつ、
左右の大引掛け部と、床断熱材支持部と、左右の立ち上がり連接部とが一体に備えられ、長さ方向において非屈折状態に延ばされ、前記「ひ」の字形形状に屈折させることができるようになされていることを特徴とする断熱材保持金物によって解決される。
【０００７】
この断熱材保持金物では、施工に用いる前は、長さ方向において非屈折状態に延ばされた状態になっているので、それ一つでも嵩張らないし、多数の断熱材保持金物を嵩張らせることなく束にすることもできるし、しかも、左右の大引掛け部と、床断熱材支持部と、左右の立ち上がり連接部とを含む一体物であるので、金物の管理や現場での施工を容易にすることができる。
【０００８】
上記の断熱材保持金物において、大引掛け部と立ち上がり連接部とを屈折させる第１強度劣弱部と、立ち上がり連接部と床断熱材支持部とを屈折させる第２強度劣弱部とが備えられているとよい。
【０００９】
この場合は、長さ方向において非屈折状態に延ばされた断熱材保持金物を適正な位置で容易に「ひ」の字形形状にすることができ、非屈折状態から「ひ」の字形形状への切換えを容易にすることができる。
【００１０】
また、各強度劣弱部に隣り合って寸法調整用の強度劣弱部が備えられている場合は、左右の大引間の寸法が異なる場合や、断熱材の厚さ寸法が異なる場合などにおいて、それらに少ない種類の断熱材保持金物で対応することなども可能になる。
【発明の効果】
【００１１】
本発明の断熱材保持金物は、以上のとおりのものであるから、嵩張らず、しかも、管理や現場での施工を容易にすることができる。
【発明を実施するための最良の形態】
【００１２】
次に、本発明の実施最良形態を図面に基づいて説明する。
【００１３】
本実施形態の断熱材保持金物５は、図２に示すように、鋼製大引などからなる左右の金属製大引１，１間にグラスウール等の床断熱材２が配置されると共に、大引１，１の上に合板等からなる床板４が根太レスで設置され、各大引１，１と床板４との間にポリスチレンフォームなどからなる大引断熱材３，３が介設された床断熱構造において、床断熱材２と大引断熱材３，３の保持に用いられるものである。
【００１４】
即ち、該断熱材保持金物５は、図１（ロ）に示すように、左右の大引１の上面に設置される大引断熱材３の上面部を抑える大引掛け部としての左右の大引断熱材おさえ部６，６と、床断熱材２を下面側から支持する床断熱材支持部７と、該床断熱材支持部７を左右の大引断熱材おさえ部６に連接する左右の立ち上がり連接部８，８と、大引断熱材３，３の外側側面部に沿わせる位置決め部９とが一体に備えられ、全体が長さ方向において非屈折状態に延ばされたものからなっている。
【００１５】
そして、大引断熱材おさえ部６と立ち上がり連接部８との境界部には溝やスリット孔などによる第１強度劣弱部１１が設けられ、また、立ち上がり連接部８と床断熱材支持部７との境界部には同様の第２強度劣弱部１２が設けられ、また、大引断熱材おさえ部６と位置決め部９との境界部には同様の第３強度劣弱部１３が設けられ、これら各強度劣弱部１１，１２，１３で断熱材保持金物５を「ひ」の字形形状に屈折させることにより、図１（イ）及び図２に示すように、床断熱構造の中で、大引断熱材３，３と床断熱材２とを保持することができるようになされている。なお、床断熱材支持部７の縁部には屈折加工が施されていて補強用のリブ７ａが形成されている。
【００１６】
上記の断熱材保持金物５では、施工に用いる前の部品段階では、図１（ロ）に示すように、長さ方向において非屈折状態に延ばされた状態になっているので、それ一つでも嵩張らないし、多数の断熱材保持金物を嵩張らせることなく束にすることもでき、しかも、左右の大引掛け部と、床断熱材支持部と、左右の立ち上がり連接部と、位置決め部を含む一体物であるので、金物５の管理や現場での施工を容易にすることができる。
【００１７】
そして、施工においては、この非屈折状の断熱材保持金物５を、それに備えられている強度劣弱部１１，１２，１３で屈折させて、図１（イ）に示すような「ひ」の字形形状に変形させ、図２（イ）（ロ）に示すように、大引１，１間にわたせば、大引断熱材３，３と床断熱材２とを保持した状態にすることができ、非屈折状の断熱材保持金物５は、強度劣弱部１１，１２，１３が備えられていることで、現場において容易に「ひ」の字形形状にすることができる。
【００１８】
なお、図１（ハ）に示す断熱材保持金物５は、他の例で、強度劣弱部が省略されており、強度劣弱部を設けなくても現場において容易に「ひ」の字形形状に変形加工することができる場合は、このように強度劣弱部の省略された断熱材保持金物に構成されていてもよい。
【００１９】
また、図３において右側に示す断熱材保持金物５は、左右の大引１，１間の寸法が異なる場合と、床断熱材２の厚さ寸法が異なる場合とについて、左側に示すように３種類の床断熱材保持金物５，５，５を用いなくとも、右側に示すように同じ一種類の床断熱材保持金物５で対応できるようになされたもので、該右側の床断熱材保持金物５には、第１、第２、第３の強度劣弱部１１，１２，１３に隣り合って寸法調整用の第１、第２、第３の強度劣弱部２１，２２，２３が備えられている。もちろん、図１（ハ）に示す断熱材保持金物５においても、そのような使い方が可能である。
【００２０】
以上に、本発明の実施形態を示したが、本発明はこれに限られるものではなく、発明思想を逸脱しない範囲で各種の変更が可能である。例えば、上記の実施形態では、大引１が鋼製大引からなって、床板４が根太レスで大引断熱材３を介して大引１上に設置された床断熱構造用の断熱材保持金物、即ち位置決め部を備えた断熱材保持金物に構成されている場合を示したが、本発明の断熱材保持金物は、大引が木製等のそれ自体で断熱性能を保有する大引からなって、床板が、根太レスでかつ大引断熱材レスで大引上に設置される床断熱構造において大引間の床断熱材を保持する断熱材保持金物、即ち、大引断熱材おさえ部が大引掛け部で、位置決め部が省略された断熱材保持金物に適用することも可能である。
【図面の簡単な説明】
【００２１】
【図１】実施形態の床断熱材保持金物を示すもので、図（イ）は強度劣弱部で屈折させた状態の斜視図、図（ロ）は非屈折状態の部品段階の床断熱材保持金物の斜視図、図（ハ）は非屈折状態の部品段階の床断熱材保持金物の他の例を示す斜視図である。
【図２】図（イ）は該床断熱材保持金物が用いられる床断熱構造の断面正面図、図（ロ）は同分解部である。
【図３】床断熱材保持金物の更に他の例を示す説明図である。
【符号の説明】
【００２２】
１…大引
２…床断熱材
５…床断熱材保持金物
６…大引断熱材おさえ部（大引掛け部）
７…床断熱材支持部
８…立ち上がり連接部
１１…第１強度劣弱部
１２…第２強度劣弱部
【図１】
2007285069.tif 000003
【図２】
2007285069.tif 000004
【図３】
2007285069.tif 000005